(57)【要約】【課題】  利用価値の高い新たな演奏評価機能を備えた通信カラオケシステムを提供する。【解決手段】  通信カラオケ装置１２は、入力される音声情報に応じてカラオケ演奏の評価を行う演奏評価手段１２８を有するものであり、携帯電話機１８は、その演奏評価手段１２８による評価結果を反映する所定の評価反映映像を表示させる評価反映映像表示手段１４２を有するものであることから、前記携帯電話機１８を用いたカラオケ演奏において、前記通信カラオケ装置１２を用いてカラオケ演奏を行った際の演奏評価結果を参照しつつ歌唱することができ、効果的な歌唱技能の向上が期待できる。すなわち、利用価値の高い新たな演奏評価機能を備えた通信カラオケシステム１０を提供することができる。【選択図】  図６
2006215408.tif 000002
【特許請求の範囲】
【請求項１】
所定のセンタ装置と、複数のカラオケ装置と、カラオケ演奏機能を有する複数の携帯電話機との間で通信回線を介して相互に情報の通信を行い得る通信カラオケシステムであって、
前記カラオケ装置は、入力される音声情報に応じてカラオケ演奏の評価を行う演奏評価手段を有するものであり、
前記携帯電話機は、該演奏評価手段による評価結果を反映する所定の評価反映映像を表示させる表示手段を有するものである
ことを特徴とする通信カラオケシステム。
【請求項２】
前記携帯電話機は、入力される音声情報に応じてカラオケ演奏の評価を行う演奏評価手段を有するものであり、前記表示手段は、該演奏評価手段による評価結果に基づいて前記表示を行い得るものである請求項１の通信カラオケシステム。
【請求項３】
前記カラオケ装置は、該カラオケ装置又は携帯電話機の前記演奏評価手段による評価結果を反映する所定の評価反映映像を表示させる表示手段を有するものである請求項１又は２の通信カラオケシステム。
【請求項４】
前記センタ装置は、前記演奏評価手段による評価結果を記憶する記憶装置を有するものであり、前記表示手段は、該記憶装置から読み出される評価結果に基づいて前記表示を行うものである請求項１から３の何れかの通信カラオケシステム。
【請求項５】
前記演奏評価手段は、対象となるカラオケ演奏曲における所定のフレーズ毎に前記評価を行うものである請求項１から４の何れかの通信カラオケシステム。
【請求項６】
前記表示手段は、対象となるカラオケ演奏曲における所定のフレーズ毎に前記表示を行うものである請求項５の通信カラオケシステム。
【請求項７】
前記記憶装置は、前記演奏評価手段による評価結果を利用者の識別情報と関連付けて記憶するものである請求項４から６の何れかの通信カラオケシステム。
【請求項８】
前記表示手段は、前記記憶装置から読み出される利用者の識別情報と関連付けられた評価結果に基づいて前記表示を行うものである請求項７の通信カラオケシステム。
【発明の詳細な説明】
【技術分野】
【０００１】
本発明は、所定のセンタ装置との間で通信回線を介して情報の通信を行う通信カラオケシステムに関し、特に、演奏評価機能の改良に関する。
【背景技術】
【０００２】
多数の演奏曲のうちから選択される所定の演奏曲を出力させるカラオケ装置が知られている。このカラオケ装置では、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。斯かるカラオケ装置を用いたカラオケシステムとして、カラオケボックス等に設置された複数のカラオケ装置が公衆電話回線等の通信回線を介して所定のカラオケサービス提供会社のセンタ装置と接続されることで、そのセンタ装置との間で相互に情報の遣り取りが可能とされた通信カラオケシステムがある。そのように、所定のセンタ装置と複数のカラオケ装置との間で通信回線を介して情報の通信を行う通信カラオケシステムでは、新曲のカラオケ情報等が前記複数のカラオケ装置により適宜ダウンロードされることで、それらカラオケ装置を用いて新曲の演奏等の最新サービスが常に享受できる。
【０００３】
ところで、近年普及しているカラオケ装置には、上述のような音楽再生装置としての機能のみならず、マイクから入力される音声情報に基づいて歌唱力等を評価（採点）する演奏評価機能を備えたものがある。例えば、特許文献１に記載されたカラオケ装置がそれである。斯かるカラオケ装置によれば、音程、テンポ、音量等を基準としてマイクロフォンから入力される音声情報とカラオケ演奏曲の演奏情報とを比較することで、その入力される音声情報に応じて歌唱の評価を採点することができる。
【０００４】
【特許文献１】特開２００４−１０９２６４号公報
【０００５】
しかし、近年においては、演奏評価機能を備えたカラオケ装置が広く普及したことにより、前述した従来の演奏評価機能は特に目新しいものではなくなった。このため、利用価値の高い新たな演奏評価機能を備えたカラオケシステムの開発が求められていた。
【０００６】
ところで、近年、公衆電話回線に接続されてその公衆電話回線を介して情報の送受信を行う携帯電話機が目覚ましい勢いで普及している。斯かる携帯電話機は、単に電話回線を介して通話を行う電話機としての機能のみならず、インターネット情報を閲覧するためのブラウザとしての機能や、電子メールの送受信機能等を備えることで、所謂マルチメディアとして利用されるようになり、新たな利用法が模索され続けている。そのような利用法の一つとして、上記携帯電話機を用いた通信カラオケシステムが実用化されている。本発明者は、利用価値の高い新たな演奏評価機能を備えたカラオケシステムを開発すべく鋭意考案を継続する中で、この携帯電話機を用いた通信カラオケシステムに着目し、前記カラオケ装置を用いた通信カラオケシステムと連携させることにより利用価値の高い新たな演奏評価機能を実現する技術を発案するに至った。
【発明の開示】
【発明が解決しようとする課題】
【０００７】
本発明は、以上の事情を背景として為されたものであり、その目的とするところは、利用価値の高い新たな演奏評価機能を備えた通信カラオケシステムを提供することにある。
【課題を解決するための手段】
【０００８】
斯かる目的を達成するために、本発明の要旨とするところは、所定のセンタ装置と、複数のカラオケ装置と、カラオケ演奏機能を有する複数の携帯電話機との間で通信回線を介して相互に情報の通信を行い得る通信カラオケシステムであって、前記カラオケ装置は、入力される音声情報に応じてカラオケ演奏の評価を行う演奏評価手段を有するものであり、前記携帯電話機は、その演奏評価手段による評価結果を反映する所定の評価反映映像を表示させる表示手段を有するものであることを特徴とするものである。
【発明の効果】
【０００９】
このようにすれば、前記カラオケ装置は、入力される音声情報に応じてカラオケ演奏の評価を行う演奏評価手段を有するものであり、前記携帯電話機は、その演奏評価手段による評価結果を反映する所定の評価反映映像を表示させる表示手段を有するものであることから、前記携帯電話機を用いたカラオケ演奏において、前記カラオケ装置を用いてカラオケ演奏を行った際の演奏評価結果を参照しつつ歌唱することができ、効果的な歌唱技能の向上が期待できる。すなわち、利用価値の高い新たな演奏評価機能を備えた通信カラオケシステムを提供することができる。
【００１０】
ここで、好適には、前記携帯電話機は、入力される音声情報に応じてカラオケ演奏の評価を行う演奏評価手段を有するものであり、前記表示手段は、その演奏評価手段による評価結果に基づいて前記表示を行い得るものである。このようにすれば、前記カラオケ装置を用いてカラオケ演奏を行った際の演奏評価結果のみならず、前記携帯電話機を用いてカラオケ演奏を行った際の演奏評価結果をも参照しつつ歌唱することができ、更に効果的な歌唱技能の向上が期待できる。
【００１１】
また、好適には、前記カラオケ装置は、そのカラオケ装置又は携帯電話機の前記演奏評価手段による評価結果を反映する所定の評価反映映像を表示させる表示手段を有するものである。このようにすれば、前記携帯電話機を用いたカラオケ演奏のみならず、前記カラオケ装置を用いたカラオケ演奏においても前記演奏評価結果を参照しつつ歌唱することができ、更に効果的な歌唱技能の向上が期待できる。
【００１２】
また、好適には、前記センタ装置は、前記演奏評価手段による評価結果を記憶する記憶装置を有するものであり、前記表示手段は、その記憶装置から読み出される評価結果に基づいて前記表示を行うものである。このようにすれば、実用的な態様で前記通信カラオケシステムを実現できるという利点がある。
【００１３】
また、好適には、前記演奏評価手段は、対象となるカラオケ演奏曲における所定のフレーズ毎に前記評価を行うものである。このようにすれば、所定のカラオケ演奏曲の中で上手く歌唱できる部分と不得意な部分とを浮き彫りにすることができ、更に効果的な歌唱技能の向上が期待できる。
【００１４】
また、好適には、前記表示手段は、対象となるカラオケ演奏曲における所定のフレーズ毎に前記表示を行うものである。このようにすれば、所定のカラオケ演奏曲の中で上手く歌唱できる部分と不得意な部分とを明確に認識することができ、更に効果的な歌唱技能の向上が期待できる。
【００１５】
また、好適には、前記記憶装置は、前記演奏評価手段による評価結果を利用者の識別情報と関連付けて記憶するものである。このようにすれば、個別に記憶された評価結果に基づいて利用者毎に前記評価反映映像を表示させる、実用的な通信カラオケシステムを実現できる。
【００１６】
また、好適には、前記表示手段は、前記記憶装置から読み出される利用者の識別情報と関連付けられた評価結果に基づいて前記表示を行うものである。このようにすれば、個別に記憶された評価結果に基づいて利用者毎に前記評価反映映像を表示させる、実用的な通信カラオケシステムを実現できる。
【００１７】
以下、本発明の好適な実施例を図面に基づいて詳細に説明する。
【実施例】
【００１８】
図１は、本発明の一実施例である通信カラオケシステム１０を説明する図である。この図１に示すように、本実施例の通信カラオケシステム１０において、カラオケボックス、スナック、旅館等の店舗、或いは一般家庭等にそれぞれ設置された複数の通信カラオケ装置１２は、公衆電話回線等による通信回線１４を介してカラオケサービス提供会社のセンタ装置１６に接続されており、そのセンタ装置１６と複数の通信カラオケ装置１２の相互間で情報の通信が可能とされている。このセンタ装置１６は、カラオケ情報、背景映像情報、曲間情報等のデジタルコンテンツ（Digital Content）の保管や入出力管理等を行うサーバであり、上記通信回線１４を介して複数の通信カラオケ装置１２に定期的にコンテンツの配信を行うものである。また、複数の携帯電話機１８は、複数の中継基地局２０を介して無線の通信チャンネルに接続され、その複数の中継基地局２０に接続された中央演算処理装置２２によりそれぞれの接続が制御されるようになっている。この中央演算処理装置２２は、プロトコルを翻訳することによりチェックする機能を有するゲートウェイ２４を介して上記通信回線１４に接続されている。これにより、上記複数の携帯電話機１８においても、上記通信回線１４を介して上記センタ装置１６からカラオケ情報をはじめとするコンテンツの配信を受けられるようになっている。
【００１９】
図２は、上記通信カラオケ装置１２の構成を例示するブロック線図である。この図２に示すように、上記通信カラオケ装置１２は、ＣＲＴ等の映像表示装置２６と、映像情報デコーダ２８と、ビデオミキサ３０と、アンプミキサ３２と、スピーカ３４と、マイクロフォン３６と、Ａ／Ｄコンバータ３７と、操作パネル３８と、中央演算処理装置であるＣＰＵ４０と、ＲＯＭ４２と、ＲＡＭ４４と、記憶装置であるハードディスク４６と、モデム４８と、ＣＲＴコントローラ５０と、上記操作パネル３８等からの入力信号を処理する入出力インターフェイス５２と、音源であるシンセサイザ５４と、リモコン装置６０や電子早見本装置６２等の入力装置からのリモコン信号を受信するためのリモコン受信部５６と、その電子早見本装置６２等との間で無線ＬＡＮ通信を行うための無線ＬＡＮ通信部５８とを、備えて構成されている。
【００２０】
上記ＣＰＵ４０は、上記ＲＡＭ４４の一時記憶機能を利用しつつ上記ＲＯＭ４２に予め記憶された所定のプログラムに基づいて電子情報を処理・制御する所謂コンピュータであり、上記リモコン装置６０や電子早見本装置６２等により所定のカラオケ演奏曲が選曲された場合、その選曲されたカラオケ演奏曲を上記ＲＡＭ４４に設けられた予約曲リストに登録したり、その予約曲リストの演奏順に従って上記ハードディスク４６から上記ＲＡＭ４４に選曲されたカラオケ演奏曲の演奏情報及び歌詞情報等を読み出したり、カラオケ演奏曲の演奏が進行するのに応じてそのＲＡＭ４４から上記シンセサイザ５４へ演奏情報を送信したり、歌詞情報に基づいて歌詞文字映像を生成して上記ＣＲＴコントローラ５０へ送ったり、選曲時には曲名文字映像を生成して上記ＣＲＴコントローラ５０へ送ったり、上記映像情報デコーダ２８を制御して所定の背景映像を再生させたり、前記通信回線１４を介して前記センタ装置１６との間で情報の送受信を行う等の基本的な制御に加えて、後述する演奏評価制御及びその評価結果を反映する映像表示制御等、カラオケ演奏に付随する諸々の制御を実行する。
【００２１】
前記操作パネル３８は、前記通信カラオケ装置１２の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記通信カラオケ装置１２には、前記操作パネル３８の一部機能を遠隔で実行するための入力装置として機能するリモコン装置６０及び電子早見本装置６２が備えられており、前記リモコン受信部５６は、それら入力装置から送信されるリモコン信号を受信して前記ＣＰＵ４０へ供給する。また、前記無線ＬＡＮ通信部５８は、前記電子早見本装置６２との間で無線ＬＡＮ通信を行うことによりその電子早見本装置６２からの選曲入力を受け付けたり、前記通信カラオケ装置１２から電子早見本装置６２へ所定の処理を実行させるための指令を送信したりというように、電波を介して前記通信カラオケ装置１２と電子早見本装置６２との間における相互の情報のやりとりを行う。
【００２２】
前記映像情報デコーダ２８は、利用者が歌詞を参照しながら歌を歌う際に前記ハードディスク４６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ２８により再生された背景映像は、前記ビデオミキサへ送られる。また、前記ＣＲＴコントローラ５０は、前記ＣＰＵ４０において生成された歌詞文字映像等の文字映像（テロップ）を出力する文字映像出力装置であり、前記ビデオミキサ３０は、前記ＣＰＵ４０において生成され且つ前記ＣＲＴコントローラ５０から出力される文字映像と、前記映像情報デコーダ２８により再生される背景映像とを合成して前記映像表示装置２６に表示させる映像合成装置である。
【００２３】
前記シンセサイザ５４は、前記ハードディスク４６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ５４により生成された音楽信号は、アナログ信号に変換されて前記アンプミキサ３２へ送られる。そのアンプミキサ３２では、送られてきた音楽信号と前記マイクロフォン３６を介して入力される利用者の歌声とがミキシングされ、それらの信号が電気的に増幅されて前記スピーカ３４から出力される。前記Ａ／Ｄコンバータ３７は、後述するカラオケ演奏評価処理のために、前記マイクロフォン３６から入力される音声をディジタル信号に変換して前記ＣＰＵ４０に供給する。
【００２４】
前記モデム４８は、前記通信カラオケ装置１２を前記通信回線１４に接続するための装置であり、前記ＣＰＵ４０から出力されるディジタル信号をアナログ信号に変換して前記通信回線１４に送り出すと共に、その通信回線１４を介して伝送されるアナログ信号をディジタル信号に変換して前記ＣＰＵ４０に供給する処理を行う。
【００２５】
前記ハードディスク４６には、カラオケ演奏曲を出力させるための多数のカラオケ情報を記憶するカラオケデータベース５５等の各種データベースが設けられている。カラオケボックス等の店舗にそれぞれ備えられた複数の通信カラオケ装置１２は、前記モデム４８を介して前記通信回線１４に接続されており、例えば前記通信カラオケ装置１２によって常に新しい曲が演奏可能とされるように、随時新たなカラオケ情報が前記センタ装置１６から前記通信回線１４を介して配信され、前記ハードディスク４６のカラオケデータベース５５に記憶される。また、後述する演奏評価手段１３２、１４０による評価結果を適宜前記センタ装置１６へ送信（アップロード）できるようになっている。
【００２６】
図３は、前記携帯電話機１８の操作部６４を説明する図である。この図３に示すように、前記携帯電話機１８における折り畳まれることで相対向する１対の面には、入力ボタン（スイッチ）として機能する１２個の文字入力ボタン６６、開始ボタン６８、電源ボタン７０、左右上下の移動ボタン７２、メールボタン７４、クリアボタン７６、決定ボタン７８、及び映像表示装置として機能する表示部８０が設けられている。
【００２７】
上記文字入力ボタン６６は、所望する文字を入力するためのボタン（スイッチ）であり、その文字入力ボタン６６が押されることにより、また必要に応じて所定の文字変換操作が行われることにより、所望する文字が上記表示部８０に表示される。上記開始ボタン６８は、電話をかけたりメールを送信したりするためのボタンであり、上記表示部８０に所定の電話番号が表示されている際にその開始ボタン６８が押されることにより、その電話番号に電話をかけられる。また、その表示部８０に所定のメールアドレスが表示されている際にその開始ボタン６８が押されることにより、そのメールアドレスにメールが送信される。上記電源ボタン７０は、通話を中止したり電源を入れたりするためのボタンであり、通話中にその電源ボタン７０が押されることにより、その通話が中止される。また、電源がオフである際にその電源ボタン７０が一定時間押されることにより、電源がオンの状態となる一方、電源がオンである際にその電源ボタン７０が一定時間押されることにより、電源がオフの状態となる。上記移動ボタン７２は、上記表示部８０に表示されるカーソルを左右上下に移動させるため等に押されるボタンである。上記メールボタン７４は、メール管理モードに入るため等に押されるボタンである。上記クリアボタン７６は、上記表示部８０に表示された文字を消すため等に押されるボタンである。上記決定ボタン７８は、上記表示部８０に表示された内容で各種設定の項目を決定したり、文字変換を決定したりするため等に押されるボタンである。
【００２８】
図４は、前記携帯電話機１８の構成を説明するブロック線図である。この図４に示す制御部８２は、予めＲＯＭ８４に記憶されたプログラムに従って入力信号を処理し、前記操作部６４からの入力に従って文字入力が実行されるように制御したり、前記操作部６４から入力された電話番号に従って通信或いは通話チャンネルを成立させると共に相互の通信或いは通話が可能となるように制御したり、メールの作成及び送受信の制御を実行したりする。通話状態においては、アンテナ８６を介して送受信部８８に受けた通話信号等がモデム部９０を介して音声コーディック部９２においてデジタルコード信号から音声信号に変換され、アナログフロントエンド９４により音声出力器（スピーカ）９０が駆動されて音声が出力される。同時に、マイクロフォン９８により音声から変換された音声信号が上記アナログフロントエンド９４を介して上記音声コーディック部９２に送られてそこでデジタル信号に変換され、上記モデム部９０、送受信部８８、及びアンテナ８６を介して送信される。また、通信状態において、上記制御部８２は、前記操作部６４から入力された信号を通信先へ送信すると同時に、通信先から受信された信号を前記表示部８０に表示させる。また、他の通信端末からの着信があったと判定される場合には、予め記憶部（フラッシュＲＯＭ）１００に記憶された呼出音情報に基づいて所定の呼出音を上記スピーカ９０から出力させるようにメロディー発生器１０４を駆動させる。また、上記記憶部１００には、前記センタ装置１６からダウンロードされたカラオケ情報を記憶するためのカラオケデータベース１０２が設けられている。
【００２９】
図５は、前記センタ装置１６の構成を説明するブロック線図である。この図５に示すように、前記センタ装置１６は、中央演算処理装置であるＣＰＵ１０６によりＲＡＭ１１０の一時記憶機能を利用しつつＲＯＭ１０８に予め記憶されたプログラムに従って信号処理を行う所謂マイクロコンピュータシステムを備えており、前記複数の通信カラオケ装置１２や携帯電話機１８へのコンテンツ配信等の通信制御を実行する。また、ＣＲＴコントローラ１１２により制御されるＣＲＴ（Cathode-ray Tube）等の映像表示装置１１４と、インターフェイス１１６を介して接続されるキーボード等の入力装置１１８と、上記ＣＰＵ１０６を前記通信回線１４に接続するための装置であるモデム１２０と、ハードディスク等の記憶装置１２２とを、備えて構成されている。
【００３０】
上記記憶装置１２２には、前記通信カラオケ装置１２や携帯電話機１８に配信するための前記カラオケ情報を記憶するカラオケデータベース１２４と、前記通信カラオケ装置１２等の演奏評価手段１３２、１４０による評価結果を記憶する演奏評価データベース１２６とが設けられている。この評価結果は、好適には、カラオケ演奏を行った利用者のＩＤ等の識別情報及びカラオケ演奏曲の選曲番号と関連付けられて上記演奏評価データベース１２６に記憶される。上記演奏評価データベース１２６は、例えば、利用者のＩＤ等により識別される利用者毎に個別の記憶領域を有するものであり、斯かる記憶領域にカラオケ演奏曲毎に評価結果を記憶できるように構成されている。
【００３１】
図６は、前記通信カラオケ装置１２のＣＰＵ４０、携帯電話機１８の制御部８２、及びセンタ装置１６のＣＰＵ１０６に備えられた制御機能の要部を説明する機能ブロック線図である。この図６に示す演奏手段１２８、歌詞文字映像表示手段１３０、演奏評価手段１３２、及び評価反映映像表示手段１３４は、前記通信カラオケ装置１２のＣＰＵ４０に機能的に備えられたものである。また、演奏手段１３６、歌詞文字映像表示手段１３８、演奏評価手段１４０、及び評価反映映像表示手段１４２は、前記携帯電話機１８の制御部８２に機能的に備えられたものである。
【００３２】
演奏手段１２８、１３６は、前記カラオケデータベース５５、１０２に記憶されたカラオケ情報の演奏情報に基づいて所定の音楽情報（演奏音）を出力させる。具体的には、前記通信カラオケ装置１２の演奏手段１２８は、前記カラオケデータベース５５に記憶されたカラオケ情報の演奏情報を読み出して前記シンセサイザ５４に送り、そのシンセサイザ５４により楽器の演奏信号等の音楽信号を生成させ、前記スピーカ３４を介して出力させる。また、前記携帯電話機１８の演奏手段１３６は、前記カラオケデータベース１０２に記憶されたカラオケ情報の演奏情報を読み出して前記メロディ発生器１０４に送り、そのメロディ発生器１０４により楽器の演奏信号等の音楽信号を生成させ、前記スピーカ９６を介して出力させる。
【００３３】
歌詞文字映像表示手段１３０、１３８は、前記カラオケデータベース５５、１０２に記憶されたカラオケ情報の歌詞情報に基づいて所定の歌詞文字映像（歌詞テロップ）を表示させる。例えば、カラオケ演奏曲における所定のフレーズ（歌詞における意味上の区切りや旋律に応じた区分単位）毎に歌詞文字映像を表示させ、その歌詞文字映像を随時色変わりさせる。具体的には、前記通信カラオケ装置１２の歌詞文字映像表示手段１３０は、前記カラオケデータベース５５に記憶されたカラオケ情報の歌詞情報を読み出し、その歌詞情報に対応する歌詞文字映像を生成して前記ＣＲＴコントローラ５０に送り、そのＣＲＴコントローラ５０により前記ビデオミキサ３０等を介して前記映像表示装置２６に表示させる。この際、対象であるカラオケ演奏曲に対応する背景映像情報が読み出され、前記映像情報デコーダ２８により再生されて上記歌詞文字映像の背景側レイヤーに合成される。また、前記携帯電話機１８の歌詞文字映像表示手段１３８は、前記カラオケデータベース１０２に記憶されたカラオケ情報の歌詞情報を読み出し、その歌詞情報に対応する歌詞文字映像を生成して前記表示部８０に表示させる。この際、対象であるカラオケ演奏曲に対応する背景映像情報が読み出され、図示しない映像情報デコーダにより再生されて上記歌詞文字映像の背景側レイヤーに合成される。
【００３４】
演奏評価手段１３２、１４０は、前記演奏手段１２８、１３６によるカラオケ演奏曲の出力に伴って入力される音声情報に応じてカラオケ演奏の評価を行う。具体的には、前記通信カラオケ装置１２の演奏評価手段１３２は、カラオケ演奏曲の出力に伴って音声入力装置である前記マイクロフォン３６から入力される利用者の音声に応じてその利用者によるカラオケ演奏の内容を評価する。例えば、前記マイクロフォン３６により入力されて前記Ａ／Ｄコンバータ３７によりディジタル信号に変換された音声情報と、前記シンセサイザ５４により出力される音楽情報とを比較し、メロディなどの基本音程と入力される音声から抽出される音程との相対的なずれやその音声の絶対的な声量などを基準として採点を行う。また、前記携帯電話機１８の演奏評価手段１４０は、カラオケ演奏曲の出力に伴って音声入力装置である前記マイクロフォン９８、アナログフロントエンド９４、及び音声コーディック部９２等を介して入力される利用者の音声に応じて上記と同様にその利用者によるカラオケ演奏の内容を評価する。なお、図６では、前記通信カラオケ装置１２、携帯電話機１８共に演奏評価手段１３２、１４０を備えているが、少なくとも通信カラオケ装置１２が演奏評価手段１３２を備えていればよく、前記携帯電話機１８は必ずしも演奏評価手段１４０を備えていなくともよい。
【００３５】
図７は、上記演奏評価手段１３２、１４０による評価結果を例示する図である。上記演奏評価手段１３２、１４０は、好適には、対象となるカラオケ演奏曲における所定のフレーズ毎に前記評価を行う。これにより、例えば、図７に示すように、歌詞Ｆ１「気がついたら」のフレーズ「1001」に関して「GOOD(75)」、フレーズ「1105」に関して「NG(40)」、フレーズ「1107」に関して「GOOD(65)」の評価結果がそれぞれ与えられ、その歌詞Ｆ１に関する小計として「GOOD(60)」の小括評価が与えられる。また、歌詞Ｆ２「心の中やさしい」のフレーズ「1001」に関して「NG(30)」、フレーズ「1105」に関して「NG(40)」、フレーズ「1107」に関して「GOOD(65)」の評価結果がそれぞれ与えられ、その歌詞Ｆ２に関する小計として「NG(45)」の小括評価が与えられる。そして、上記演奏評価手段１３２、１４０による評価結果は、カラオケ演奏を行った利用者のＩＤ及びカラオケ演奏曲の選曲番号と関連付けられ、前記通信回線１４を介して適宜前記センタ装置１６に送られてそのセンタ装置１６の記憶装置１２２に設けられた演奏評価データベース１２６に各利用者毎に、更には各カラオケ演奏曲毎に記憶される。ここで、上記演奏評価手段１３２、１４０による評価結果は共通の形式で作成されるものであり、以下に詳述する評価反映映像表示手段１３４、１４２は、前記通信カラオケ装置１２による評価結果であると前記携帯電話機１８による評価結果であるとを問わず、上記演奏評価データベース１２６に記憶された評価結果に基づいて表示を行うことができる。
【００３６】
評価反映映像表示手段１３４、１４２は、前記演奏評価手段１３２、１４０による評価結果を反映する所定の評価反映映像を表示させる。具体的には、前記通信カラオケ装置１２の評価反映英映像表示手段１３４は、前記センタ装置１６の記憶装置１２２に設けられた演奏評価データベース１２６におけるカラオケ演奏を行っている利用者に対応する記憶領域から、演奏されているカラオケ演奏曲に対応する評価結果を読み出して前記ＲＡＭ４４に記憶し、その評価結果を随時読み出して、例えば上記演奏評価手段１３２、１４０による評価結果が比較的低かった部分を指摘する映像を生成して前記ＣＲＴコントローラ５０に送り、そのＣＲＴコントローラ５０により前記ビデオミキサ３０等を介して前記歌詞文字映像と共に前記映像表示装置２６に表示させる。また、前記携帯電話機１８の評価反映映像表示手段１４２は、前記センタ装置１６の記憶装置１２２に設けられた演奏評価データベース１２６におけるカラオケ演奏を行っている利用者に対応する記憶領域から、演奏されているカラオケ演奏曲に対応する評価結果を読み出して前記記憶部１００に記憶し、その評価結果を随時読み出して、例えば上記演奏評価手段１３２、１４０による評価結果が比較的低かった部分を指摘する映像を生成して前記表示部８０に表示させる。なお、図６では、前記通信カラオケ装置１２、携帯電話機１８共に評価反映映像表示手段１３４、１４２を備えているが、少なくとも携帯電話機１８が評価反映映像表示手段１４２を備えていればよく、前記通信カラオケ装置１２は必ずしも評価反映映像表示手段１３４を備えていなくともよい。
【００３７】
図８は、前記評価反映映像表示手段１３４により前記通信カラオケ装置１２の映像表示装置２６に表示される評価結果を反映した映像を例示する図であり、図９は、前記評価反映映像表示手段１４２により前記携帯電話機１８の表示部８０に表示される評価結果を反映した映像を例示する図である。これら図８及び図９は、図７に例示する評価結果を反映した映像であり、歌詞Ｆ２「心の中やさしい」に関して比較的低い評価結果である「NG(30)」を与えられたフレーズ「1001」に対応する歌詞「心」及び同じく比較的低い評価結果である「NG(40)」を与えられたフレーズ「1105」に対応する歌詞「の中」にアンダーラインが引かれ、その部分の歌唱に注意することを促す文字映像（テロップ）が表示されている。このように、前記評価反映映像表示手段１３４、１４２は、好適には、対象となるカラオケ演奏曲における所定のフレーズ毎に前記表示を行うものであり、更に好適には、前記演奏評価手段１３２、１４０による評価単位と同じ単位で前記表示を行うものである。
【００３８】
図１０は、前記通信カラオケ装置１２のＣＰＵ４０によるカラオケ演奏制御の要部を説明するフローチャートであり、所定の周期で繰り返し実行されるものである。なお、このフローチャートでは、前記評価反映映像表示手段１３４による表示を行わない態様を説明するが、後述する図１１に示すのと同様の制御により、前記通信カラオケ装置１２においても評価結果を反映する映像の表示を行い得ることは前記の通りである。
【００３９】
先ず、ステップ（以下、ステップを省略する）ＳＡ１において、前記電子早見本装置６２等を用いて利用者の識別情報である顧客ＩＤが入力されたか否かが判断される。このＳＡ１の判断が否定されるうちは、ＳＡ１の判断が繰り返されることにより待機させられるが、ＳＡ１の判断が肯定される場合には、ＳＡ２において、入力された顧客ＩＤが前記ＲＡＭ４４に記憶される。次に、ＳＡ３において、前記電子早見本装置６２等を用いた所定の入力操作に応じて所定の演奏曲のカラオケ演奏が開始されたか否かが判断される。このＳＡ３の判断が否定される場合には、それをもって本ルーチンが終了させられるが、ＳＡ３の判断が肯定される場合には、ＳＡ４において、カラオケ演奏曲の演奏情報及び歌詞情報等に基づいてカラオケ演奏制御が行われる。次に、前記演奏評価手段１３２の動作に対応するＳＡ５において、前記マイクロフォン３６により入力されて前記Ａ／Ｄコンバータ３７によりディジタル信号に変換された音声情報と、前記シンセサイザ５４により出力される音楽情報とがフレーズ毎に比較され、メロディなどの基本音程と入力される音声から抽出される音程との相対的なずれやその音声の絶対的な声量などを基準として演奏評価が実行される。次に、ＳＡ６において、カラオケ演奏曲の全フレーズの演奏が終了したか否かが判断される。このＳＡ６の判断が否定される場合には、ＳＡ４以下の処理が再び実行されるが、ＳＡ６の判断が肯定される場合には、ＳＡ７において、カラオケ演奏が終了させられる。次に、ＳＡ８において、ＳＡ５にて評価された評価結果がカラオケ演奏を行った利用者のＩＤ及びカラオケ演奏曲の選曲番号と関連付けられて前記ハードディスク４６等に一時的に記憶される。次に、ＳＡ９において、前記センタ装置１６との情報通信タイミングであるか否かが判断される。このＳＡ９の判断が否定される場合には、それをもって本ルーチンが終了させられるが、ＳＡ９の判断が肯定される場合には、ＳＡ１０において、ＳＡ８にて前記ハードディスク４６等に記憶された評価結果が読み出され、前記通信回線１４を介して前記センタ装置１６に送られ、そのセンタ装置１６の記憶装置１２２に設けられた演奏評価データベース１２４に記憶された後、本ルーチンが終了させられる。以上の制御において、ＳＡ３、ＳＡ４、ＳＡ６、及びＳＡ７が前記演奏手段１２８及び歌詞文字映像表示手段１３０の動作に対応する。
【００４０】
図１１は、前記携帯電話機１８の制御部８２によるカラオケ演奏制御の要部を説明するフローチャートであり、所定の周期で繰り返し実行されるものである。なお、このフローチャートでは、前記演奏評価手段１４０による評価を行わない態様を説明するが、前述した図１０に示すのと同様の制御により、前記携帯電話機１８においてもカラオケ演奏の評価を行い得ることは前記の通りである。
【００４１】
先ず、ＳＢ１において、前記操作部６４による所定の操作に応じて所定の演奏曲のカラオケ演奏が開始されたか否かが判断される。このＳＢ１の判断が否定される場合には、それをもって本ルーチンが終了させられるが、ＳＢ１の判断が肯定される場合には、ＳＢ２において、前記センタ装置１６の記憶装置１２２に設けられた演奏評価データベース１２６にアクセスが行われ、前記携帯電話機１８の電話番号或いはｕｉｄ等を識別情報として、その識別情報に対応する（すなわちカラオケ演奏を行っている利用者に対応する）記憶領域から、演奏されているカラオケ演奏曲に対応する評価結果が読み出されて前記記憶部１００に記憶される。次に、ＳＢ３において、カラオケ演奏曲の演奏情報及び歌詞情報等に基づいてカラオケ演奏制御が行われる。次に、前記評価反映映像表示手段１４２の動作に対応するＳＢ４において、ＳＢ２にて読み出された評価結果を反映して、評価結果が比較的低かった部分を指摘する映像が生成されて前記表示部８０に表示される。次に、ＳＢ５において、カラオケ演奏曲の全フレーズの演奏が終了したか否かが判断される。このＳＢ５の判断が否定される場合には、ＳＢ２以下の処理が再び実行されるが、ＳＢ５の判断が肯定される場合には、ＳＢ６において、カラオケ演奏が終了させられた後、本ルーチンが終了させられる。以上の制御において、ＳＢ１、ＳＢ３、ＳＢ５、及びＳＢ６が前記演奏手段１３６及び歌詞文字映像表示手段１３８の動作に対応する。
【００４２】
このように、本実施例によれば、前記通信カラオケ装置１２は、入力される音声情報に応じてカラオケ演奏の評価を行う演奏評価手段１２８（ＳＡ５）を有するものであり、前記携帯電話機１８は、その演奏評価手段１２８による評価結果を反映する所定の評価反映映像を表示させる評価反映映像表示手段１４２（ＳＢ４）を有するものであることから、前記携帯電話機１８を用いたカラオケ演奏において、前記通信カラオケ装置１２を用いてカラオケ演奏を行った際の演奏評価結果を参照しつつ歌唱することができ、効果的な歌唱技能の向上が期待できる。すなわち、利用価値の高い新たな演奏評価機能を備えた通信カラオケシステム１０を提供することができる。
【００４３】
また、前記携帯電話機１８は、入力される音声情報に応じてカラオケ演奏の評価を行う演奏評価手段１３６を有するものであり、前記評価反映映像表示手段１４２は、その演奏評価手段１３６による評価結果に基づいて前記表示を行い得るものであるため、前記通信カラオケ装置１２を用いてカラオケ演奏を行った際の演奏評価結果のみならず、前記携帯電話機１８を用いてカラオケ演奏を行った際の演奏評価結果をも参照しつつ歌唱することができ、更に効果的な歌唱技能の向上が期待できる。
【００４４】
また、前記通信カラオケ装置１２は、そのカラオケ装置１２の演奏評価手段１２８又は携帯電話機１８の演奏評価手段１３６による評価結果を反映する所定の評価反映映像を表示させる評価反映映像表示手段１３４を有するものであるため、前記携帯電話機１８を用いたカラオケ演奏のみならず、前記通信カラオケ装置１２を用いたカラオケ演奏においても前記演奏評価結果を参照しつつ歌唱することができ、更に効果的な歌唱技能の向上が期待できる。
【００４５】
また、前記センタ装置１６は、前記演奏評価手段１３２、１４０による評価結果を記憶する記憶装置１２２を有するものであり、前記評価反映映像表示手段１３４、１４２は、その記憶装置１２２から読み出される評価結果に基づいて前記表示を行うものであるため、実用的な態様で前記通信カラオケシステム１０を実現できるという利点がある。
【００４６】
また、前記演奏評価手段１３２、１４０は、対象となるカラオケ演奏曲における所定のフレーズ毎に前記評価を行うものであるため、所定のカラオケ演奏曲の中で上手く歌唱できる部分と不得意な部分とを浮き彫りにすることができ、更に効果的な歌唱技能の向上が期待できる。
【００４７】
また、前記評価反映映像表示手段１３４、１４２は、対象となるカラオケ演奏曲における所定のフレーズ毎に前記表示を行うものであるため、所定のカラオケ演奏曲の中で上手く歌唱できる部分と不得意な部分とを明確に認識することができ、更に効果的な歌唱技能の向上が期待できる。
【００４８】
また、前記記憶装置１２２は、前記演奏評価手段１３２、１４０による評価結果を利用者の識別情報と関連付けて記憶するものであるため、個別に記憶された評価結果に基づいて利用者毎に前記評価反映映像を表示させる、実用的な通信カラオケシステム１０を実現できる。
【００４９】
また、前記評価反映映像表示手段１３４、１４２は、前記記憶装置１２２から読み出される利用者の識別情報と関連付けられた評価結果に基づいて前記表示を行うものであるため、個別に記憶された評価結果に基づいて利用者毎に前記評価反映映像を表示させる、実用的な通信カラオケシステム１０を実現できる。
【００５０】
以上、本発明の好適な実施例を図面に基づいて詳細に説明したが、本発明はこれに限定されるものではなく、更に別の態様においても実施される。
【００５１】
例えば、前述した実施例において、前記通信カラオケ装置１２は、カラオケボックス等に設置された据置式のカラオケ装置であったが、本発明はこれに限定されるものではなく、例えば、家庭用テレビジョンに接続されて用いられるハンディカラオケ装置等に本発明が適用されても構わない。そのようにすれば、斯かるハンディカラオケ装置等を用いたカラオケ演奏においても前記演奏評価結果を参照しつつ歌唱することができ、更に効果的な歌唱技能の向上が期待できる。
【００５２】
また、前述した実施例において、前記通信カラオケ装置１２におけるカラオケ演奏に用いられるカラオケ情報と、前記携帯電話機１８におけるカラオケ演奏に用いられるカラオケ情報とを特に区別していないが、これらは共通の形式による互換性ある情報であってもよいし、互換性のない異なる形式による情報であっても構わない。
【００５３】
また、前述した実施例において、前記評価結果を記憶する記憶装置１２２は前記センタ装置１６に設けられていたが、そのセンタ装置１６とは異なるデータベースサーバを設け、そのデータベースサーバに前記評価結果を記憶してもよい。また、前記通信カラオケ装置１２のハードディスク４６に前記評価結果を記憶しても構わない。
【００５４】
また、前述した実施例において、前記評価反映映像表示手段１３４、１４２は、評価結果が比較的低かった部分を指摘する映像を表示させるものであったが、斯かる映像と共に評価結果が比較的高かった部分を指摘する映像を表示させてもよい。また、採点結果を棒グラフ化して各フレーズに対応させて表示させるなど、様々な表示の態様が考えられる。
【００５５】
その他、一々例示はしないが、本発明はその趣旨を逸脱しない範囲内において種々の変更が加えられて実施されるものである。
【図面の簡単な説明】
【００５６】
【図１】本発明の一実施例である通信カラオケシステムを説明する図である。
【図２】図１の通信カラオケシステムにおける通信カラオケ装置の構成を例示するブロック線図である。
【図３】図１の通信カラオケシステムにおける携帯電話機の操作部を説明する図である。
【図４】図３の携帯電話機の構成を例示するブロック線図である。
【図５】図１の通信カラオケシステムにおけるセンタ装置の構成を例示するブロック線図である。
【図６】図２の通信カラオケ装置のＣＰＵ、図４の携帯電話機の制御部、及び図５のセンタ装置のＣＰＵに備えられた制御機能の要部を説明する機能ブロック線図である。
【図７】図６の演奏評価手段による評価結果を例示する図である。
【図８】図６の評価反映映像表示手段により図２の通信カラオケ装置の映像表示装置に表示される評価結果を反映した映像を例示する図である。
【図９】図６の評価反映映像表示手段により図４の携帯電話機の表示部に表示される評価結果を反映した映像を例示する図である。
【図１０】図２の通信カラオケ装置のＣＰＵによるカラオケ演奏制御の要部を説明するフローチャートである。
【図１１】図４の携帯電話機の制御部によるカラオケ演奏制御の要部を説明するフローチャートである。
【符号の説明】
【００５７】
１０：通信カラオケシステム
１２：通信カラオケ装置
１４：通信回線
１６：センタ装置
１８：携帯電話機
１２２：記憶装置
１３２、１４０：演奏評価手段
１３４、１４２：評価反映映像表示手段
【図１】
2006215408.tif 000003
【図２】
2006215408.tif 000004
【図３】
2006215408.tif 000005
【図４】
2006215408.tif 000006
【図５】
2006215408.tif 000007
【図６】
2006215408.tif 000008
【図７】
2006215408.tif 000009
【図８】
2006215408.tif 000010
【図９】
2006215408.tif 000011
【図１０】
2006215408.tif 000012
【図１１】
2006215408.tif 000013